(57)【要約】電子機器は、セルラー電話機、携帯情報端末、パソコン、インターネットアプライアンス、ページャ、無線電話機、遠隔制御装置（例えばテレビジョンジョン、ステレオ、娯楽機器等用）、および全地球測位システムの１つ以上の機能を、汎用の機器またはユーザインタフェース（ＵＩ）を使用し得る１つの共通の機器に統合する。一実施形態において機器は、セルラー電話機の大きさとほぼ同一であり、機器の長さと幅の大部分にわたるとともに、例えば、セルラー電話機上の表示装置とキーパッドの両方に通常使用可能な領域に亙る、大型タッチスクリーン液晶表示装置を有する。表示装置およびＵＩは、使用される全てのアプリケーションに対応して視認可能に変化する。一実施形態において、セルラー電話機の表示およびＵＩは、複数のセルラー電話機の表示画像および複数のＵＩの１つから選択される。セルラー電話機の１つの銘柄またはモデルに精通しているユーザは、画像およびＵＩを保持して機器と共に利用可能である。
2004537877.tif 000002
【特許請求の範囲】
【請求項１】
電話回路と、
表示装置と、
タッチスクリーンと、
前記表示装置に複数の電話ユーザインタフェース画像の１つを出力し、前記タッチスクリーン上の対応する位置からユーザ入力を入力する第１のプロセッサとからなる携帯電話機。
【請求項２】
前記複数の電話ユーザインタフェース画像の少なくとも１つはユーザ定義されている請求項１に記載の機器。
【請求項３】
前記表示装置および前記タッチスクリーンの一方または両方の動作を起動するスイッチをさらに備える、請求項１に記載の機器。
【請求項４】
前記第１のプロセッサはまた、前記表示装置に他の機能の画像を表示する役割を果たしている請求項１に記載の機器。
【請求項５】
前記他の機能の画像は、連絡先管理者スケジューラと、電子メールと、セル式電話機と、ＰＣベースのソフトウェアアプリケーションとからなるグループから選択される、請求項４に記載の機器。
【請求項６】
前記表示装置にユーザインタフェース画像を出力し、および第２プロセッサによって実行されるタスクに使用されるユーザ入力を、前記タッチスクリーンから入力するための前記第２のプロセッサをさらに備える、請求項１に記載の機器。
【請求項７】
前記第１のプロセッサは第１のオペレーティングシステムを利用し、前記第２のプロセッサは第２のオペレーティングシステムを利用している、請求項６に記載の機器。
【請求項８】
前記第１のプロセッサおよび第２のプロセッサは、共有の表示インタフェースを介して前記表示装置に接続されている、請求項６に記載の機器。
【請求項９】
前記表示インタフェースは、
前記第１のプロセッサによって使用される第１の組の複数の記憶場所と、
前記第２のプロセッサによって使用される第２の組の複数の記憶場所と、
前記記憶場所の第１の組または前記第２の組のいずれか一方からデータを選択して、前記表示装置にユーザインタフェース画像データを出力する制御回路とからなる、請求項８に記載の機器。
【請求項１０】
前記第１のプロセッサによって使用される第１の組の複数の記憶場所と、
前記第２のプロセッサによって使用される第２の組の複数の記憶場所とをさらに備える、請求項６に記載の機器。
【請求項１１】
前記第１のプロセッサおよび第２のプロセッサによって共有されている複数の記憶場所を有したメモリをさらに備える、請求項６に記載の機器。
【請求項１２】
前記第１のプロセッサおよび第２のプロセッサによって共有されている記憶装置をさらに備える、請求項６に記載の機器。
【請求項１３】
前記第１のプロセッサによって使用される第１の組の複数の記憶場所と、
前記第２のプロセッサによって使用される第２の組の複数の記憶場所とをさらに備える、請求項７に記載の機器。
【請求項１４】
前記第１のプロセッサおよび第２のプロセッサによって共有されている複数の記憶場所を有したメモリをさらに備える、請求項７記載の機器。
【請求項１５】
前記第１のプロセッサおよび第２のプロセッサによって共有されている記憶装置をさらに備える、請求項７記載の機器。
【請求項１６】
着脱可能な署名識別モジュールをさらに備える、請求項１に記載の機器。
【請求項１７】
前記制御回路は前記第１のプロセッサによって制御される、請求項９に記載の機器。
【請求項１８】
セルラー電話機モジュールと、
コードレス電話機モジュールと、
無線ヘッドセットモジュールと、
無線インタフェースモジュールと、
電子遠隔制御モジュールと、
全地球測位システム（ＧＰＳ）モジュールと、
音声コマンドおよび制御モジュールと、
音声認識モジュールとからなるグループから選択され、前記第１のプロセッサによって管理される、１つ以上のモジュールをさらに備える、請求項１に記載の機器。
【請求項１９】
前記コードレス電話機モジュールと、前記無線ヘッドセットモジュールと、前記無線インタフェースモジュールとのうちの１つ以上は、ブルートゥースイネーブルモジュールからなる、請求項１８に記載の機器。
【請求項２０】
前記第１のプロセッサは、１つ以上の前記選択されたモジュールに関連付けられたユーザインタフェース画像を前記表示装置に出力する、請求項１８に記載の機器。
【請求項２１】
前記第２のプロセッサは、前記第１のプロセッサより高性能であって、最先端技術のＰＣソフトウェアアプリケーションを高速で入力可能なプロセッサからなる、請求項６に記載の機器。
【請求項２２】
前記第１のプロセッサは、前記第２のプロセッサの１つ以上のパラメータを制御する、請求項６に記載の機器。
【請求項２３】
前記第２のプロセッサの１つ以上のパラメータは、クロック速度と、デューティサイクルと、スリープモードと、電力消費と、からなるパラメータのグループから選択される、請求項２２に記載の機器。
【請求項２４】
前記第１のプロセッサは、１つ以上の前記モジュールの１つ以上のパラメータを制御する、請求項１８に記載の機器。
【請求項２５】
前記モジュールの前記１つ以上のパラメータは、クロック速度と、デューティサイクルと、スリープモードと、電力消費と、からなるパラメータのグループから選択される、請求項２４に記載の機器。
【請求項２６】
電話回路と、
表示装置と、
タッチスクリーンと、
前記表示装置に少なくとも１つの電話ユーザインタフェース画像を出力し、および前記タッチスクリーン上の対応する位置からユーザ入力を入力するための第１のプロセッサと、
前記表示装置に１つ以上のユーザインタフェース画像を出力し、および第２のプロセッサによって実行されるタスクに使用されるユーザ入力を、前記タッチスクリーン上の対応する位置から入力するための前記第２のプロセッサとからなる携帯電話機。
【請求項２７】
前記第１のプロセッサは第１のオペレーティングシステムを利用し、前記第２のプロセッサは第２のオペレーティングシステムを利用している、請求項２６に記載の機器。
【請求項２８】
前記複数の電話ユーザインタフェース画像の少なくとも１つは、ユーザ定義されたものである請求項２６に記載の装置。
【請求項２９】
前記表示装置および前記タッチスクリーンのいずれか一方または両方の動作を起動するスイッチをさらに備える、請求項２６に記載の機器。
【請求項３０】
前記第１のプロセッサはまた、前記表示装置に他の機能の画像を表示する役割を果たしている、請求項２６に記載の機器。
【請求項３１】
前記他の機能の画像は、連絡先管理者スケジューラと、電子メールと、セルラー電話機と、ＰＣベースのソフトウェアアプリケーションとからなるグループから選択される、請求項３０に記載の機器。
【請求項３２】
前記第１プロセッサおよび第２プロセッサは、共有の表示インタフェースを介して前記表示装置に接続されている、請求項２６に記載の機器。
【請求項３３】
前記表示インタフェースは、
前記第１のプロセッサによって使用される第１の組の複数の記憶場所と、
前記第２のプロセッサによって使用される第２の組の複数の記憶場所と、
記憶場所の前記第１の組または前記第２の組のいずれか一方からデータを選択して、前記表示装置にユーザインタフェース画像データを出力する制御回路とからなる、請求項３２に記載の機器。
【請求項３４】
前記第１のプロセッサによって使用される第１の組の複数の記憶場所と、
前記第２のプロセッサによって使用される第２の組の複数の記憶場所とをさらに備える、請求項２６に記載の機器。
【請求項３５】
前記第１のプロセッサおよび第２のプロセッサによって共有されている複数の記憶場所を有するメモリをさらに備える、請求項２６に記載の機器。
【請求項３６】
前記第１のプロセッサおよび第２のプロセッサによって共有されている記憶装置をさらに備える、請求項２６に記載の機器。
【請求項３７】
前記第１のプロセッサによって使用される第１の組の複数の記憶場所と、
前記第２のプロセッサによって使用される第２の組の複数の記憶場所とをさらに備える、請求項２７に記載の機器。
【請求項３８】
前記第１のプロセッサおよび第２のプロセッサによって共有されている複数の記憶場所を有したメモリをさらに備える、請求項２７に記載の機器。
【請求項３９】
前記第１のプロセッサおよび第２のプロセッサによって共有されている記憶装置をさらに備える、請求項２７に記載の機器。
【請求項４０】
着脱可能な署名識別モジュールをさらに備える、請求項２６に記載の機器。
【請求項４１】
前記制御回路は前記第１のプロセッサによって制御される、請求項２６に記載の機器。
【請求項４２】
セルラー電話機モジュールと、
コードレス電話機モジュールと、
無線ヘッドセットモジュールと、
無線インタフェースモジュールと、
電子遠隔制御モジュールと、
ＧＰＳモジュールと、
音声コマンドおよび制御モジュールと、
音声認識モジュールとからなるグループから選択され、前記第１のプロセッサによって管理される１つ以上のモジュールをさらに備える、請求項２６に記載の機器。
【請求項４３】
１つ以上の前記コードレス電話機モジュールと、前記無線ヘッドセットモジュールと、前記無線インタフェースモジュールは、ブルートゥースイネーブルモジュールからなる、請求項４３に記載の機器。
【請求項４４】
前記第１のプロセッサは、１つ以上の前記選択されたモジュールに関連付けられたユーザインタフェース画像を前記表示装置に出力する、請求項３３に記載の機器。
【請求項４５】
前記第２のプロセッサは、前記第１のプロセッサより高性能であり、および最先端技術のＰＣソフトウェアアプリケーションを高速で入力可能なプロセッサからなる、請求項２６に記載の機器。
【請求項４６】
前記第１のプロセッサは、前記第２のプロセッサの１つ以上のパラメータを制御する、請求項２６に記載の機器。
【請求項４７】
前記第２のプロセッサの１つ以上のパラメータは、クロック速度と、デューティサイクルと、スリープモードと、電力消費とからなるパラメータのグループから選択される、請求項４６に記載の機器。
【請求項４８】
前記第１のプロセッサは、１つ以上の前記モジュールの１つ以上のパラメータを制御する、請求項４２に記載の機器。
【請求項４９】
前記モジュールの前記１つ以上のパラメータは、クロック速度と、デューティサイクルと、スリープモードと、電力消費とからなるパラメータのグループから選択される請求項４８に記載の機器。
【請求項５０】
表示装置と、
タッチスクリーンと、
前記表示装置に少なくとも１つのユーザインタフェース画像を出力し、および前記タッチスクリーン上の対応する位置からユーザ入力を入力するための第１のプロセッサと、
前記表示装置に１つ以上のユーザインタフェース画像を出力し、および第２のプロセッサによって実行されるタスクに使用されるユーザ入力を、前記タッチスクリーン上の対応する位置から入力する前記第２のプロセッサとからなる携帯用電子機器。
【請求項５１】
前記第１のプロセッサは第１のオペレーティングシステムを利用し、前記第２のプロセッサは第２のオペレーティングシステムを利用している、請求項５０に記載の機器。
【請求項５２】
前記第１のプロセッサによって出力された前記少なくとも１つのユーザインタフェース画像は、連絡先管理者スケジューラと、電子メールと、セル式電話機と、ＰＣベースのソフトウェアアプリケーションとからなるグループから選択された、請求項５０に記載の機器。
【請求項５３】
前記第１プロセッサおよび第２プロセッサは、共有の表示インタフェースを介して前記表示装置に接続されている、請求項５０に記載の機器。
【請求項５４】
前記表示インタフェースは、
前記第１のプロセッサによって使用される第１の組の複数の記憶場所と、
前記第２のプロセッサによって使用される第２の組の複数の記憶場所と、
記憶場所の前記第１の組または前記第２の組のいずれか一方からデータを選択して、前記表示装置にユーザインタフェース画像データを出力する制御回路とからなる請求項５３に記載の機器
【請求項５５】
前記第１のプロセッサによって使用される第１の組の複数の記憶場所と、
前記第２のプロセッサによって使用される第２の組の複数の記憶場所とをさらに備える、請求項５０に記載の機器。
【請求項５６】
前記第１のプロセッサおよび第２のプロセッサによって共有されている複数の記憶場所を有したメモリをさらに備える、請求項５０に記載の機器。
【請求項５７】
前記第１のプロセッサおよび第２のプロセッサによって共有されている記憶装置をさらに備える、請求項５０に記載の機器。
【請求項５８】
前記第１のプロセッサによって使用される第１の組の複数の記憶場所と、
前記第２のプロセッサによって使用される第２の組の複数の記憶場所とをさらに備える、請求項５１に記載の機器。
【請求項５９】
前記第１のプロセッサおよび第２のプロセッサによって共有されている複数の記憶場所を有するメモリをさらに備える、請求項５１に記載の機器。
【請求項６０】
前記第１のプロセッサおよび第２のプロセッサによって共有されている記憶装置をさらに備える、請求項５１に記載の機器。
【請求項６１】
前記制御回路は前記第１のプロセッサによって制御される、請求項５０に記載の機器。
【請求項６２】
セルラー電話機モジュールと、
コードレス電話機モジュールと、
無線ヘッドセットモジュールと、
無線インタフェースモジュールと、
電子遠隔制御モジュールと、
ＧＰＳモジュールと、
音声コマンドおよび制御モジュールと、
音声認識モジュールと、
からなるグループから選択され、前記第１のプロセッサによって管理される、１つ以上のモジュールをさらに備える、請求項５０に記載の機器。
【請求項６３】
１つ以上の、前記コードレス電話機モジュールと、前記無線ヘッドセットモジュールと、前記無線インタフェースモジュールは、ブルートゥースイネーブルモジュールからなる、請求項６２に記載の機器。
【請求項６４】
前記第１のプロセッサは、１つ以上の前記選択されたモジュールに関連付けられたユーザインタフェース画像を前記表示装置に出力する、請求項６２に記載の機器。
【請求項６５】
前記第２のプロセッサは、前記第１のプロセッサより高性能であり、および最先端技術のＰＣソフトウェアアプリケーションを高速で入力可能なプロセッサからなる、請求項５０に記載の機器。
【請求項６６】
前記第１のプロセッサは、前記第２のプロセッサの１つ以上のパラメータを制御する、請求項５０に記載の機器。
【請求項６７】
前記第２のプロセッサの１つ以上のパラメータは、クロック速度と、デューティサイクルと、スリープモードと、電力消費とからなるパラメータのグループから選択される請求項６６に記載の機器。
【請求項６８】
前記第１のプロセッサは、１つ以上の前記モジュールの１つ以上のパラメータを制御する、請求項６２に記載の機器。
【請求項６９】
前記モジュールの前記１つ以上のパラメータは、クロック速度と、デューティサイクルと、スリープモードと、電力消費とからなるパラメータのグループから選択される請求項６８に記載の機器。
【請求項７０】
モニタと、
１または２以上のユーザ入力装置と、
ドッキングステーションと、
コネクタを介して携帯電話機に電力を供給する電源とからなり、前記ドッキングステーションは携帯電話機とインタフェースするコネクタを備え、前記携帯電話機は、
電話回路と、
表示装置と、
タッチスクリーンと、
前記表示装置に少なくとも１つの電話ユーザインタフェース画像を出力し、および前記タッチスクリーン上の対応する位置からユーザ入力を入力するための第１のプロセッサと、
前記表示装置に１つ以上のユーザインタフェース画像を出力し、および第２のプロセッサによって実行されるタスクに使用されるユーザ入力を、前記タッチスクリーン上の対応する位置から入力する前記第２のプロセッサとを備える、コンピュータシステム。
【請求項７１】
前記第１のプロセッサは第１のオペレーティングシステムを利用し、前記第２のプロセッサは第２のオペレーティングシステムを利用している、請求項７０に記載の機器。
【請求項７２】
Ｘピクセル幅×Ｙピクセル高さの画像を定義する画像データを生成し、
前記表示装置に、Ｘピクセル幅、Ｙ／Ｎピクセル高さに等しい前記画像の一部分を表示し、および
前記モニタに、前記Ｘピクセル幅×Ｙピクセル高さの画像を表示するための構造をさらに備える、請求項７０に記載の機器。
【請求項７３】
Ｎ＝２である、請求項７２に記載の機器。
【請求項７４】
前記ドッキングステーションは、電話接続と、前記電話回路の動作と並行して前記電話接続を動作させる手段とを備え、２つの並行した電話接続を実現する、請求項７０に記載の機器。
【請求項７５】
モニタと、
１つ以上のユーザ入力装置と、
ドッキングステーションと、
コネクタを介して電子機器に電力を供給する電源とからなり、前記ドッキングステーションは携帯電話機をインタフェースするコネクタを備え、前記携帯電話機は、
表示装置と、
タッチスクリーンと、
前記表示装置に少なくとも１つの電話ユーザインタフェース画像を出力し、および前記タッチスクリーン上の対応する位置からユーザ入力を入力するための第１のプロセッサと、
前記表示装置に１つ以上のユーザインタフェース画像を出力し、および第２のプロセッサによって実行されるタスクに使用されるユーザ入力を前記タッチスクリーン上の対応する位置から入力するための前記第２のプロセッサとを備える、コンピュータシステム。
【請求項７６】
前記第１のプロセッサは第１のオペレーティングシステムを利用し、前記第２のプロセッサは第２のオペレーティングシステムを利用している、請求項７５に記載の機器。
【請求項７７】
１つ以上のユーザ入力装置は、キーボードと、マウスと、タブレットと、タッチスクリーンと、ジョイスティックと、音声認識装置とからなるグループから選択される、請求項７５に記載のコンピュータシステム。
【請求項７８】
前記ドッキングステーションはコンピュータを備える、請求項７５に記載のコンピュータシステム。
【請求項７９】
前記コンピュータはスレーブ機器として前記電子機器を使用する、請求項７５に記載のコンピュータシステム。
【請求項８０】
前記ドッキングステーションは、前記電子機器によって使用されるオーディオインタフェースを備え、一方前記電子機器は前記コネクタによってインタフェースされている、請求項７５に記載のコンピュータシステム。
【請求項８１】
ユーザの音声コマンドを介して、前記コンピュータシステムの１つ以上の機能を動作させる音声コマンドおよび制御をさらに備える、請求項８０に記載のコンピュータシステム。
【請求項８２】
前記音声コマンドおよび制御は、前記第１のプロセッサの少なくとも１つの機能と、前記第２のプロセッサの少なくとも１つの機能を制御する役割を果たしている、請求項８１に記載のシステム。
【請求項８３】
前記ドッキングステーションは、ネットワーク接続を備えていて、前記電子機器が前記ネットワークに接続することを可能する、請求項７５に記載のコンピュータシステム。
【請求項８４】
第１の表示装置と第２表示装置を備えているコンピュータシステムの動作方法において
、
Ｘピクセル幅×Ｙピクセル高さの画像を定義する画像データを生成する工程と、
前記表示装置に、Ｘピクセル幅、Ｙ／Ｎピクセル高さに等しい前記画像の一部分を表示する工程と、
前記第２の表示装置に、前記Ｘピクセル幅×Ｙピクセル高さの画像を表示する工程とからなる、コンピュータシステムの動作方法。
【請求項８５】
前記第１の表示装置は、前記第２表示装置が画像情報を表示しているときには無効になる、請求項８４に記載の動作方法。
【請求項８６】
電話回路と、表示装置と、ユーザ入力装置と、第１のプロセッサと、第２のプロセッサとからなる電子機器の動作方法において、
電話動作中に、前記電話回路を制御するシステムプロセッサとして前記第１のプロセッサを使用する工程と、
前記第２のプロセッサを活性化して、より高度なレベルの演算タスクを実行する前記第２のプロセッサ利用する工程とからなる、電子機器の動作方法。
【請求項８７】
前記第２のプロセッサを活性化することなく、低いレベルの演算や電算タスクに前記システムプロセッサを利用する工程をさらに備える、請求項８６に記載の動作方法。
【請求項８８】
前記表示装置は、前記システムプロセッサから該システムプロセッサによって実行されたタスクに関連付けられた表示データを受信するとともに、同表示装置は前記第２のプロセッサから、該第２のプロセッサによって実行されたタスクに関連付けられた表示データを受信する、請求項８７に記載の動作方法。
【請求項８９】
前記第２のプロセッサは、活性化されるとすぐにディスクからその状態情報を検索して取り出す、請求項８６に記載の方法。
【請求項９０】
前記第１のプロセッサは第１のオペレーティングシステムを利用し、前記第２のプロセッサは第２のオペレーティングシステムを利用している、請求項８６に記載の方法。
【請求項９１】
前記第１のオペレーティングシステムおよび前記第２のオペレーティングシステムで動作している類似のプログラムによって使用されているデータを同期させる工程をさらに備える、請求項９０に記載の方法。
【請求項９２】
携帯用パーソナル電子機器で使用される組み合わせであって、
電力源と、
低い電力条件を有し、限定された機能を実行可能であり、および電力源によって電力が供給されている第１のシステムプロセッサと、
前記第１のシステムプロセッサより高い電力条件を有し、第２のシステムプロセッサ独自の機能を実行可能であり、前記第１のシステムプロセッサより多くの電力を必要とし、前記電力源によって電力が供給されている前記第２のシステムプロセッサと、
前記第２のシステムプロセッサは、スリープと活性のモードを有し、通常はスリープモードにあることと、
前記第１のシステムプロセッサは、前記第２のシステムプロセッサの要求に応答して活性化され、前記第２のシステムプロセッサ独自の機能を実行する際に動作する前記第２のシステムプロセッサを活性化することとからなる、携帯用パーソナル電子機器で使用される組み合わせ。
【請求項９３】
前記第１のシステムプロセッサは、前記第２のシステムプロセッサのスリープモード中
に動作して、前記第１のシステムプロセッサ独自の機能を実行する、請求項９２に記載の組み合わせ。
【請求項９４】
ハードディスクが設けられ、および
前記第２のシステムプロセッサは、前記ハードディスクからの信号によってそのスリープモードから活性化される、請求項９２に記載の組み合わせ。
【請求項９５】
前記第１のシステムプロセッサは、前記第２のシステムプロセッサの操作用の複数のパラメータからそれぞれを選択する、請求項９２に記載の組み合わせ。
【請求項９６】
前記第１のシステムプロセッサは、電話機モジュールと、タッチスクリーンを備えた表示インタフェースと、メモリ装置を有するインタフェースと、簡単な演算を実行するウィンドウズでプログラムされたコンピュータと、無線ＬＡＮモジュールと、ブルートゥースモジュールと、全地球測位システムと、統合トランシーバー機器およびホームＲＦモジュールと、ＧＰＳモジュールと、音声コマンドおよび制御モジュールと、電子遠隔制御モジュールと、無線ヘッドセットモジュールとのうちのそれぞれに関する機能を実行する、請求項９２に記載の組み合わせ。
【請求項９７】
前記第２のシステムプロセッサは、簡単でない機能を含んでいるウィンドウズでプログラムされたコンピュータであるトランスメタクルーソプロセッサ、またはインテルモバイルペンティアムＩＩＩプロセッサのうちのいずれかに関連の機能にアクセスして実行する、請求項９２に記載の組み合わせ。
【請求項９８】
ハードディスクが設けられ、
前記第２のシステムプロセッサは、ハードディスクからの信号によってそのスリープモードから活性化され、
前記第１のシステムプロセッサは、電話および／または無線データモジュールと、タッチスクリーンを備えた表示インタフェースと、メモリ装置を有するインタフェースと、簡単な演算を実行するウィンドウズでプログラムされたコンピュータと、無線ＬＡＮモジュールと、ブルートゥースモジュールと、全地球測位システムと、統合トランシーバー機器と、ホームＲＦモジュールとのうちのそれぞれの１つ以上に関する機能を実行し、
前記第２の信号プロセッサは、簡単でない機能を実行しているウィンドウズでプログラムされたコンピュータであるトランスメタクルーソプロセッサ、またはインテルモバイルペンティアムＩＩＩのいずれかの関連の機能にアクセスして実行する、請求項９２に記載の組み合わせ。
【請求項９９】
携帯型の電力源と、
前記電力源によって電力が供給される第１のシステムプロセッサおよび第２のシステムプロセッサと、
前記第１のシステムプロセッサは、比較的低いレベルの電力の電源によって電力が供給され、低いレベルの電力を必要とする機能を実行する特性を有することと、
前記第２のシステムプロセッサは、比較的高いレベルの電力の電源によって電力が供給され、高いレベルの電力を必要とする機能を実行する特性を有することと、
前記第２のシステムプロセッサは、活性およびスリープモードを有し、スリープ状態においては通常に動作していて、前記第２のシステムプロセッサ独自の機能を実行しなければならないときには活性化されることと、
前記第２のシステムプロセッサによって演算が実行されるきには、前記第２のシステムプロセッサをスリープ状態から活性化するメモリとからなる携帯用電子機器で使用される組み合わせ。
【請求項１００】
前記第１のシステムプロセッサは、少なくとも１つの電話および／または無線データモジュールと、表示装置と、表示制御装置と、タッチスクリーンと、ジョグダイアルモジュールとを備え、
前記第１のシステムプロセッサは、少なくとも１つの電話および／または無線データモジュール、表示装置、表示制御装置、タッチスクリーン、およびジョグダイアルモジュールの操作を実行する、請求項９９記載の組み合わせ。
【請求項１０１】
前記第１のシステムプロセッサの動作は埋め込み型である請求項９９に記載の組み合わせ。
【請求項１０２】
前記メモリは不揮発性記憶装置である請求項９９に記載の組み合わせ。
【請求項１０３】
前記メモリは、前記第１のシステムプロセッサと前記第２のシステムプロセッサのデータ格納容量を提供している、請求項９９に記載の組み合わせ。
【請求項１０４】
前記第１のシステムプロセッサの動作は埋め込み型であって、
前記メモリは不揮発性メモリであり、
前記メモリは、前記第１のシステムプロセッサと前記第２のシステムプロセッサのデータ格納容量を提供する、請求項１００に記載の組み合わせ。
【請求項１０５】
電力源と、
電源によって電力を与えられて簡単な機能を実行する第１のシステムプロセッサと、
電源によって電力を与えられて簡単でない機能を実行する第２のシステムプロセッサと、
前記第１のシステムプロセッサは制御装置機能を提供して、簡単な機能を実行する際には、第１の特定の時間に前記第１のシステムプロセッサの動作を取得し、簡単でない機能を実行する際には、第１の特定の時間と異なっている第２の特定の時間に前記第２のシステムプロセッサの動作を取得することとからなる、携帯用パーソナル電子機器に使用される組み合わせ。
【請求項１０６】
前記第１のシステムプロセッサは、電話および／または無線データモジュールと、タッチスクリーンを備えたインタフェースと、メモリ装置を有するインタフェースと、簡単な演算を実行するウィンドウズでプログラムされたコンピュータと、無線ＬＡＮモジュールと、ブルートゥースモジュールと、全地球測位システムと、統合トランシーバー機器と、ホームＲＦモジュールと、ＧＰＳモジュールと、音声コマンドおよび制御モジュールと、電子遠隔制御モジュールと、無線ヘッドセットモジュールとのそれぞれから選択された機能を実行する、請求項１０５に記載の組み合わせ。
【請求項１０７】
前記第２のシステムプロセッサは、簡単でない演算を実行するコンピュータプロセッサとコンピュータプログラムのそれぞれに関する機能にアクセスして実行する、請求項１０５に記載の組み合わせ。
【請求項１０８】
前記第２のシステムプロセッサは、前記第１のシステムプロセッサより大きな処理能力を備えている、請求項１０５に記載の組み合わせ。
【請求項１０９】
前記メモリは、前記第１のシステムプロセッサと前記第２のシステムプロセッサのデータを共有している、請求項１０５に記載の組み合わせ。
【請求項１１０】
前記メモリはハードディスクであって、前記メモリの一部はシステムプロセッサの１つにそれ独自のデータを出力する、請求項１０９に記載の組み合わせ。
【請求項１１１】
携帯型の電力源と、
電力源に動作可能に接続されていて、第１の特定の機能を実行するクローズ動作を行う第１のシステムプロセッサと、
電力源に動作可能に接続されていて、前記第１の特定の機能とは異なった第２の特定の機能を実行するオープン動作を行う第２のシステムプロセッサとからなる携帯用パーソナル電子機器の組み合わせ。
【請求項１１２】
前記第１のシステムプロセッサは、前記第２の特定の機能を実行する際に前記第２のシステムプロセッサの動作を行う、請求項１１１に記載の組み合わせ。
【請求項１１３】
前記第２のシステムプロセッサは通常スリープ状態にあって、
前記第１のシステムプロセッサは、前記第２のシステムプロセッサを活性化して、前記第２のシステムプロセッサに前記第２の特定の機能を実行させる、請求項１１１に記載の組み合わせ。
【請求項１１４】
前記第１のシステムプロセッサは、埋め込み型オペレーティングシステムと埋め込み型ソフトウェアを使用する、請求項１１１に記載の組み合わせ。
【請求項１１５】
ユーザは、前記第２のシステムプロセッサのソフトウェアアプリケーションとデータファイルを自由に追加し、修正し、および削除することができる、請求項１１１に記載の組み合わせ。
【請求項１１６】
前記第２のシステムプロセッサは、非埋め込み型オペレーティングシステムと非埋め込み型ソフトウェアを使用する、請求項１１４に記載の組み合わせ。
【請求項１１７】
音声コマンドおよび制御は、前記第１のシステムプロセッサおよび第２のシステムプロセッサの少なくとも一方に備えられている、請求項１１１記載の組み合わせ。
【請求項１１８】
前記第２のシステムプロセッサは通常スリープ状態であって、
前記第１のシステムプロセッサは、前記第２のシステムプロセッサを活性化して、前記第２のシステムプロセッサに前記第２の特定の機能を実行させ、
前記第１のシステムプロセッサは、埋め込み型オペレーティングシステムと埋め込み型ソフトウェアを使用し、
ユーザは、前記第２のシステムプロセッサのソフトウェアアプリケーションとデータファイルを自由に追加し、修正し、および削除することができ、
前記第２のシステムプロセッサは、非埋め込み型オペレーティングシステムと非埋め込み型ソフトウェアを使用し、
音声コマンドおよび制御が、前記第１および第２のシステムプロセッサの少なくとも一方に備えられている、請求項１２４に記載の組み合わせ。
【請求項１１９】
携帯型の電力源と、
電源からの電力に応答し、低い電力条件を有して限定された機能を実行し、第１の動作のシステムを利用している、第１のシステムプロセッサと、
電源からの電力に応答し、前記第１のシステムプロセッサより高い電源条件を有し、かつ第１のシステムプロセッサより高性能であって、前記第１のシステムプロセッサより複雑な機能を実行し、かつこれらの機能を実行する第１のオペレーティングシステムとは異なった第２のオペレーティングシステムを利用していて、前記第２のシステムプロセッサの動作が複数のパラメータによって制御されている、前記第２のシステムプロセッサと、
前記第１のシステムプロセッサは、前記第２のシステムプロセッサに動作可能に接続され、前記第２のシステムプロセッサのパラメータの少なくとも１つを制御していることとからなる、携帯用パーソナル電子機器で使用される組み合わせ。
【請求項１２０】
表示装置と、
タッチスクリーンとからなり、
前記第１と第２のシステムプロセッサの各々は、前記表示装置に少なくとも１つのインタフェース画像を出力する動作をし、前記システムプロセッサによって実行されるタスクに使用される前記表示装置上の位置からユーザ入力を入力する、請求項１１９に記載の組み合わせ。
【請求項１２１】
共有の表示インタフェースが、前記第１のシステムプロセッサおよび第２のシステムプロセッサを前記表示装置に接続している、請求項１１９に記載の組み合わせ。
【請求項１２２】
前記第１のシステムプロセッサは、連絡先管理者スケジューラと、電子メールと、セル式電話機と、ＰＣベースのソフトウェアアプリケーションとからなるグループから選択された第１のインタフェース画像を出力する、請求項１１９に記載の組み合わせ。
【請求項１２３】
前記第２のシステムプロセッサの少なくとも１つのパラメータは、クロック速度と、デューティサイクルと、スリープモードと、電力消費の少なくとも１つを構成している、請求項１１９に記載の組み合わせ。
【請求項１２４】
前記第１のシステムプロセッサは、
セルラー電話機モジュールと、
コードレス電話機モジュールと、
無線ハンドセットモジュールと、
無線インタフェースモジュールと、
電子遠隔制御モジュールと、
ＧＰＳモジュールと、
音声コマンドおよび制御モジュールと、
音声認識モジュールとを構成している複数のモジュールの少なくとも１つを管理する、請求項１１９に記載の組み合わせ。
【請求項１２５】
共有の表示インタフェースは、前記第１と第２のシステムプロセッサを前記表示装置に接続し、
前記第１のシステムプロセッサは、連絡先管理者スケジューラと、電子メールと、セル式電話機と、ＰＣベースのソフトウェアアプリケーションとからなるグループから選択された第１のインタフェース画像を出力し、
前記第１のシステムプロセッサは、連絡先管理者スケジューラと、電子メールと、セル式電話機と、ＰＣベースのソフトウェアアプリケーションとからなるグループから選択された前記第１のインタフェース画像を出力し、
前記第１のシステムプロセッサは、
セルラー電話機モジュールと、
コードレス電話機モジュールと、
無線ハンドセットモジュールと、
無線インタフェースモジュールと、
電子遠隔制御モジュールと、
ＧＰＳモジュールと、
音声コマンドおよび制御モジュールと、
音声認識モジュールとを構成している複数のモジュールの少なくとも１つを管理する、請求項１２０に記載の組み合わせ。
【請求項１２６】
比較的低い電力レベルで動作する特性を有する第１のシステムプロセッサを備えて比較的簡単な機能を実行させる工程と、
比較的高い電力レベルで動作する特性を有する第２のシステムプロセッサを備えて比較的複雑な機能を実行させる工程と、
前記第２のシステムプロセッサを通常スリープモードになしている工程と、
前記第２のシステムプロセッサがスリープモードのときに、前記第１のシステムプロセッサを動作させる工程と、
前記第１のシステムプロセッサを使用して高い電力レベルで動作する前記第２のシステムプロセッサを活性化して、比較的複雑な機能を実行させる工程と、
前記第２のシステムプロセッサが活性モードのときに、前記第２のシステムプロセッサを動作させる工程とを備える、携帯用パーソナル電子機器の使用方法。
【請求項１２７】
高い電力レベルで前記第２のシステムプロセッサを動作させて比較的複雑な機能を実行する工程を備える、請求項１２６に記載の方法。
【請求項１２８】
前記第２のシステムプロセッサは、活性化されると、最先端技術のパーソナルコンピュータアプリケーション上で動作する、請求項１２７に記載の方法。
【請求項１２９】
前記第２のシステムプロセッサは、複数の動作パラメータを有し、
前記第１のシステムプロセッサは、前記第２のシステムプロセッサが活性化されているときに、前記第２のシステムプロセッサの動作パラメータの少なくとも１つを制御する、請求項１２７に記載の方法。
【請求項１３０】
前記第２のシステムプロセッサの動作パラメータは、クロック速度と、デューティサイクルと、スリープモードと、電力消費とを含んでいる、請求項１２９に記載の方法。
【請求項１３１】
前記第２のシステムプロセッサは、活性化されると、最先端技術のパーソナルコンピュータアプリケーション上で動作し、
前記第２のシステムプロセッサは、複数の動作パラメータを有し、
前記第１のシステムプロセッサは、前記第２のシステムプロセッサの動作パラメータの少なくとも１つを制御し、
前記第２のシステムプロセッサの動作パラメータは、クロック速度と、デューティサイクルと、スリープモードと、電力消費とを含んでいる、請求項１２７に記載の方法。
【請求項１３２】
簡単な機能を実行する特性を有する第１のシステムプロセッサを設ける工程と、
前記第１のシステムプロセッサによって実行された機能よりも複雑な機能を実行する特性を有する第２のシステムロセッサを設ける工程と、
前記第１のシステムプロセッサを使用して、前記第２のシステムプロセッサの動作を制御する工程とを有する携帯用パーソナル電子機器の使用方法。
【請求項１３３】
前記第２のシステムプロセッサは、スリープおよび活性モードを有し、
前記第２のシステムプロセッサは、スリープモードではいかなる演算も実行せずに、活性モードにおいて演算を実行し、
前記第２のシステムプロセッサは、電力を節約するために通常スリープモードであって、
前記第１のシステムプロセッサは、前記第２のシステムプロセッサが前記第２のシステムプロセッサ独自の機能をいつ実行しなければならないかを判定し、
前記第１のシステムプロセッサが、前記第２のシステムプロセッサが前記第２のシステムプロセッサ独自の機能を実行しなければならないことを判定すると、前記第１のシステムプロセッサは、前記第２のシステムプロセッサを活性モードに転換する、請求項１３２に記載の方法。
【請求項１３４】
前記第２のシステムプロセッサは、クロック速度と、デューティサイクルと、スリープモードと、電力消費とを含む複数のパラメータを出力し、
前記第１のシステムプロセッサは、前記第２のシステムプロセッサのそれぞれを制御する、請求項１３２に記載の方法。
【請求項１３５】
前記第１のシステムプロセッサは第１のオペレーティングシステムを使用し、前記第２のシステムプロセッサは、前記第１のオペレーティングシステムとは異なった第２のオペレーティングシステムを使用する、請求項１３２に記載の方法。
【請求項１３６】
前記第１のシステムプロセッサは、電話および／または無線データモジュールと、表示装置と、タッチスクリーンを備えたインタフェースと、メモリ装置を有するインタフェースと、ウィンドウプログラムと、ＬＡＮモバイルと、ブルートゥースモジュールと、ＧＰＳモジュールと、統合トランシーバー機器と、ホームＲＦモジュールと、音声コマンドおよび制御モジュールと、電子遠隔制御モジュールと、無線ヘッドセットモジュールとのうちのそれぞれから選択された機能を実行する、請求項１３２に記載の方法。
【請求項１３７】
前記第２のシステムプロセッサは、クロック速度と、デューティサイクルと、スリープモードと、電力消費とを含む複数のパラメータを出力し、
前記第１のシステムプロセッサは、前記第２のシステムプロセッサのパラメータのそれぞれを制御し、
前記第１のシステムプロセッサは第１のオペレーティングシステムを使用し、前記第２のシステムプロセッサは、前記第１のオペレーティングシステムとは異なった第２のオペレーティングシステムを使用し、
前記第１のシステムプロセッサは、電話および／または無線データモジュール、表示装置、タッチスクリーンを備えたインタフェース、メモリ装置を有するインタフェース、ウィンドウプログラム、ＬＡＮモバイル、ブルートゥースモジュール、ＧＰＳモジュール、統合トランシーバー機器、ホームＲＦモジュール、音声コマンドおよび制御モジュール、電子遠隔制御モジュール、および無線ヘッドセットモジュールのそれぞれから選択された機能を実行する、請求項１３３に記載の方法。
【請求項１３８】
低い電力で動作可能であって、限定された機能を実行する第１のシステムプロセッサを設ける工程と、
高い電力で動作可能であって、前記第１のシステムプロセッサによって実行される機能に比べて拡張された機能を実行する第２のシステムプロセッサを設ける工程と、
前記第２のシステムプロセッサが前記拡張された機能を実行するときに、前記第２のシステムプロセッサが電力を消費する時間を制限する工程とを備える、携帯用パーソナル電子機器の使用方法。
【請求項１３９】
前記第１のシステムプロセッサは、前記第２のシステムプロセッサが前記拡張された機能を実行する際に、電力を消費する時間を制限する、請求項１３８に記載の方法。
【請求項１４０】
前記第２のシステムプロセッサは、各モジュールが異なった時間に個別の機能を実行する複数のモジュールを有し、
前記第２のシステムプロセッサは、前記第２のシステムプロセッサがモジュール独自の機能を実行するときに、異なったモジュールにおいて電力を消費する時間を制限する、請求項１３８に記載の方法。
【請求項１４１】
前記第１のシステムプロセッサは、複数の操作可能なユーザインタフェース画像のそれぞれを表示装置に出力して、タッチスクリーンの対応する位置からユーザ入力を入力し、
前記第２のシステムプロセッサは、複数の操作可能なユーザインタフェース画像のそれぞれを表示装置に出力して、タッチスクリーンの位置からユーザ入力を入力する、請求項１３８に記載の方法。
【請求項１４２】
前記第１のシステムプロセッサは、電話機と、連絡先管理者スケジュールと、電子メールと、セル式電話機と、ＰＣベースのソフトウェアアプリケーションから、個別の操作可能なユーザインタフェース画像を出力する、請求項１４１に記載の方法。
【請求項１４３】
前記第２のシステムプロセッサは、各モジュールが異なった時間に個別の機能を実行する複数のモジュールを備え、
前記第２のシステムプロセッサは、前記第２のシステムプロセッサがモジュール独自の機能を実行するときに、異なったモジュールにおいて電力を消費する時間を制限し、
前記第１のシステムプロセッサは、インタフェース画像に対する複数の機能のそれぞれを表示装置に出力して、タッチスクリーンの対応する位置からユーザ入力を入力し、
前記第２のシステムプロセッサは、複数のユーザインタフェース画像のそれぞれを表示装置に出力して、タッチスクリーンにある位置からユーザ入力を入力し、
前記第１のシステムプロセッサは、電話機と、連絡先管理者スケジュールと、電子メールと、セル式電話機と、ＰＣベースのソフトウェアアプリケーションから、個別の動作可能なユーザインタフェース画像を出力する、請求項１３９に記載の方法。
【発明の詳細な説明】
【技術分野】
【０００１】
本発明は、スマートハンドヘルド機器（ＰＤＡ、パーソナルコンパニオン、ＰＣコンパニオン、高度自動機能電話機、データ対応の携帯電話機を含む）、ＰＣコンピュータ（ポータブル、ラップトップ、ノートブック、ウルトラポータブル、およびデスクトップコンピュータを含む）、および携帯電話機等のパーソナル電子機器一般に関する。
【背景技術】
【０００２】
電子技術がより高度化するに伴い、ユーザに自身の業務管理を支援する道具を提供し、業務上および私生活の両面において通信機能を向上させるための種々の機器が普及してきた。コンピュータは周知であるが、場所から場所へ非常に簡便に運搬可能なポータブルコンピュータを含む種々の特色を有したものが登場してきた。携帯電話は、その小型性と使用の容易性によって、および先進国の大部分でセルラー電話サービスが広範囲に利用可能となったことによって、広く普及している。近年、計算機能が非常に限定されている小型コンピュータなどの機器が普及している。これらは「スマートハンドヘルド機器」または「携帯情報端末」（ＰＤＡ）と呼ばれている。このようなＰＤＡは、電池と、ＬＣＤタッチスクリーンと、小容量のメモリ（通常、ほぼ８〜１６メガバイト容量のＲＡＭ）と、わずかなコンピュータ処理能力とを有した一般的には小型の携帯機器である。そのようなＰＤＡは、小さな電池寸法、限定されたメモリや計算の能力ということからして、通常、連絡先管理、約束の予定、および電子メール用に使用されてきた。ＰＤＡユーザは、自身のＰＤＡデータを自身のデスクトップＰＣコンピュータと定期的に同期させることを慣行的に行っている。この同期の必要性は、維持のための、不便、かつ時間を消費するルーチンとなっている。
【０００３】
図１は、電池と、表示装置と、マンマシンインタフェース（ＭＭＩ）と、ＲＦ回路およびデジタル信号プロセッサ（ＤＳＰ）を有したセルラー電話機モジュールと、を備える代表的な従来技術のセルラー電話機を示すブロック図である。
【０００４】
現在の傾向は、ある種の単一の機器にＰＤＡの機能とセルラー電話機の機能との両方を組み込むことである。そのような１つの試みが、ハンドスプリング（ＨａｎｄＳｐｒｉｎｇ（登録商標））ＰＤＡ機器を基本的に取り入れて、そこに独立したセルラー電話機器が機械的に取り付けられた、ハンドスプリングバイザー（Ｖｉｓｏｒ（登録商標））電話システムである。システム１００がＰＤＡ１０１と付属のセルラー電話機モジュール１０２とを備えるこの機器を図２Ａのブロック図に示す。このような機器は多少取り扱いが困難であり、ＰＤＡ１０１用の第１の電池と、セルラー電話機モジュール１０２用の第２の電池との２個の別個の電池を有する。ＰＤＡ１０１とセルラー電話機モジュール１０２は、１つ以上の外部インタフェースによって接続されているため、ＰＤＡ１０１とセルラー電話機モジュール１０２の間の通信速度は相当に限定される。これらの機器は重さが約２８３．５ｇ（約１０オンス）と重く、および、セルラー電話機モジュールを取り付けた状態でＰＤＡを保持しながら自身のＰＤＡに向かって「話す」必要がある点においてかさばる形状要素を有する。
【０００５】
他の方法は、ＰＤＡとセルラー電話機の両方の役割を果たす単一の機器を開発することである。一般的に、セルラー電話機モジュール２０１と、ＬＣＤ表示装置２０２と、プロセッサ２０４と、電池２０３とを備えたそのような機器を図２Ｂに例示する。このような種類の機器は、基本的には追加の機能を含んだセルラー電話機の進歩型であるものと考えられる。このような機器には、パームＰＤＡ機能にＣＤＭＡデジタル無線電話技術を統合した機器である京セラ（Ｋｙｏｃｅｒａ）（登録商標）ｐｄＱ（登録商標）スマートフォン（Ｓｍａｒｔ  Ｐｈｏｎｅ）シリーズが含まれる。このｐｄＱ（登録商標）スマートフォン機器は、基本的には発呼を行うための押しボタン式パッドを含む電話機であって、この押しボタン式パッドは、ＰＤＡ機能に使用される大型ＬＣＤ画面を現すべく、回動してその場から移動する。ノキア（Ｎａｋｉａ）は類似の機器、ノキア（Ｎｏｋｉａ）（商標登録）９１１０コミュニケータを有し、これは押しボタン式キーを備えた基本的なセルラー電話機と考えられ、ＰＤＡ機能を有するより大型のＬＣＤ画面とミニキーパッドとを現すために開けられる。
【０００６】
ＰＤＡ、インターネットアプライアンス（ＩＡ）、およびセルラー電話機には重大な問題がある。ＰＤＡ、ＩＡ、およびセルラー電話機メタファーは、それほど高性能でないＣＰＵと、小容量のメモリと、限定された電力消費量と、小型表示装置と、異なった不便な入力装置とを有しているため、ユーザがＰＣの計算の世界で理解しているものとは大きく異なっている。画面寸法は限定され、マウスやタッチスクリーンがなくＰＣ類に比べると異なったＵＩメタファーを必要とする。ある場合には、タッチスクリーンはあるが、小さな表示寸法は情報の入力や表示を煩わしくしている。
【０００７】
ＰＤＡおよびインターネットアプライアンス（ＩＡ）に関する最も大きな２つの問題は、それらがＰＣの総合的性能には及ばないこと、価格対性能の観点から、利便性よりも限定された性能に力点がおかれているという点にある。実際に、多くのＰＤＡはＰＣに対しては「スレーブ機器」であり、ＩＡは、ペンティアムクラスＰＣのような「十分に発達した」ＰＣの馬力には及ばない。このため、ＩＡが機能性においてＰＣに十分に接近していても、その価格差はＩＡの購入を是認するほど顕著ではない。同様に、ＰＤＡはＰＣに比べて著しく性能が劣るので、比較的大きな価格差があったとしても、多くの場合、ＰＤＡを購入することは正当化されない。
【０００８】
セルラー電話機、ＰＤＡ、およびＩＡに対する最大の不満は、それらすべてが互いに別個に動作するということである。いくつかのベンダーがＰＤＡとセルラー電話機を統合することを試みたが、これらの機器は、まだＰＣの出力、表示、および入力性能には及ばない。先に述べたように、ＰＤＡはＰＣに対して先天的に「スレーブ」機器であるので、ある統合がＰＤＡとＰＣの間に発生する。
【発明の開示】
【発明が解決しようとする課題】
【０００９】
高機能なデスクトップコンピュータ、ＰＤＡ、およびセルラー電話機の間には常に性能に格差があるため、有用な機器やＵＩという点において、これらの技術を組み合わせて統合する機器が必要とされている。
【課題を解決するための手段】
【００１０】
この新規なパーソナル電子機器は、セルラー電話機、ＰＤＡ、ＰＣ、およびＩＡの機能を統合したものである。
本発明は、移動機器の利便性が１つの統括的な機器に包含されるべきであるという判断に基づいている。セル式電話機、携帯情報端末、およびラップトップコンピュータが発展している一方で、その各々に含まれている情報は、統一性がなく、限定されていて、視認が困難であり、活用するためには家庭またはオフィスをベースにしたＰＣに頻繁に同期される必要がある。移動機器のユーザは、自分が必要とする情報の一片だけを提供するような機器にますます不満をつのらせてきている情報探求者である。ユーザが自分の通信手段や計算についての要求を満たすためには、ユーザは、複数の機器を管理して、すべての機器が自分自身の一連の課題を有している新しい動作環境を学習する必要がある。
【００１１】
本発明は、１つの完全な携帯型のパーソナル電子機器を提供する。ユーザは新規なオペレーティングシステムを学習する必要がない。新たな、第三者によるソフトウェア開発は必要ない。ユーザは、ラップトップまたはデスクトップコンピュータ上で日々実行しているあらゆるアプリケーションを利用できる。この機器は、シャツのポケット、財布、またはユーザの手に収まるものであり、完全な移動性を有している。
【発明を実施するための最良の形態】
【００１２】
本発明の開示によれば、新規な電子機器は、１つ以上のセルラー電話機、携帯情報端末（ＰＤＡ）、パーソナルコンピュータ、インターネットアプライアンス（ＩＡ）、ページャ、コードレス電話機、遠隔制御装置（例えばテレビジョンジョン、ステレオ、娯楽機器等に使用される）、および全地球測位システム（ＧＰＳ）の機能を、汎用の機器やユーザインタフェース（ＵＩ）が使用しやすい１つの共通機器に統合する。本発明の一実施形態において新規な電子機器は、ほぼセルラー電話機と同一の大きさを有し、機器の長さと幅の大部分にわたるとともに、例えば、セルラー電話機上の表示装置とキーパッドの両方に通常使用され得る領域に亙る、大きなタッチスクリーンの液晶表示装置（ＬＣＤ）を有する。本発明の１つの新規な機能として、表示装置およびＵＩは、使用されているすべてのアプリケーションに対応して視認可能に変化する。例えば、ユーザがセルラー電話機として電子機器を使用したいときには、機器は現寸のキーパッドを持つセルラー電話機の画像をＬＣＤ画面に表示する。ＵＩは、ユーザがタッチスクリーンＬＣＤ上の適切な位置に触れると、ＬＣＤに表示されたセルラー電話機の画像が動作するように構成されている。これはマウスの「クリック」イベントとしてセルラー電話機のアプリケーションによって解釈される。同一の機能が、キーパッドの数字の上を「スクロール」して、ジョグダイアルを「クリックする」が強調表示された時にジョグダイアルを押し下げるといったジョグダイアルの使用によっても発生し得る。これもまた、マウスの「クリック」としてセルラー電話機によって解釈される。タッチスクリーンを使用することによって、ユーザは、あたかもユーザが標準のセルラー電話機上のキーパッドを押しているかのようにタッチスクリーンのボタンを押す。マイクロホンに向かって、および音声起動のソフトウェアを使用して話すことによって、ユーザは、言葉「電話番号をダイヤル（次に電話番号を話す）」を話すことができる。本発明の１つの実施形態において、セルラー電話機の表示およびＵＩは、複数のセルラー電話機の表示画像および複数のＵＩの１つから選択されるため、セルラー電話機の１つの銘柄またはモデルに精通しているユーザは、その画像およびＵＩを保持して本発明による機器と共に利用することができる。
【００１３】
ＬＣＤ画面上の適切な領域に接触するか、または機器のジョグダイアルを使用することによって、ユーザは、機器をＰＤＡ、テレビジョン遠隔制御装置等のような他の有効なソフトウェア駆動の形態に変換する。
【００１４】
一実施形態において、本発明の新規な電子機器は無線通信とＰＣハードウェアの両方を利用している。そのような実施形態の１つにおいて、機器は、３つのプロセッサ、例えば、電話機モジュールアーム７コアプロセッサ（Ｐｈｏｎｅ  Ｍｏｄｕｌｅ  ＡＲＭ７  Ｃｏｒｅ  Ｐｒｏｃｅｓｓｏｒ）、ストロングアーム（ＳｔｒｏｎｇＡＲＭ（登録商標））埋め込み型インテル（Ｉｎｔｅｌ（登録商標））１１１０プロセッサ、およびインテル（登録商標）ペンティアム（登録商標）ＩＩＩモバイルプロセッサを使用している。一実施形態において、電話機モジュールは、データ、ショートメッセージ通信システム（ＳＭＳ）、音声、およびファックス送信を管理する汎用パケット無線サービス（ＧＰＲＳ）とグローバルスペシャルモバイル（ＧＳＭ）の両方をサポートしているクラスＢの機器である。デュアルバンド９００／１８００と９００／１９００をサポートしているので、別のモジュールを必要としないで国際間のアクセスを確実なものにしている。ストロングアーム（登録商標）埋め込み型インテル（登録商標）１１１０プロセッサは、移動体の連絡先管理、スケジューリング、および電子メールを処理する。さらに、ストロングアーム（登録商標）埋め込み型インテル（登録商標）１１１０プロセッサとＧＳＭモジュールは、無線アプリケーションプロトコル（ＷＡＰ）を介してブラウジング機能を実行する。これらの機能は、マイクロソフト（登録商標）ポケットＰＣ（ＰｏｃｋｅｔＰＣ）（登録商標）（ＣＥ）オペレーティングシステムによって管理される。インテル（登録商標）ペンティアム（登録商標）ＩＩＩモバイルプロセッサは、第三者ソフトウェアアプリケーションおよび地上通信線準拠のインターネットプロトコル（ＩＰ）のサポートだけでなく、ワードプロセシングおよびスプレッドシート操作のような他のオフィスオートメーションタスクを処理し、すべてマイクロソフト（登録商標）ウィンドウズ（登録商標）ミレニアム（Ｍｉｌｌｅｎｎｉｕｍ）（ＭＥ）オペレーティングシステムによって管理される。
【００１５】
説明を簡単にすると、本発明の１つの実施形態は、パーソナルコンピュータ（ＰＣ）とセルラー電話機として考えられ得る。これらの２つの機器は、著しく異なった電源条件と、待機時間および使用時間の両方に対するユーザの期待値とを有している。これらの各２つの機器に対する通常の個別のパワーマネージメント機能に加えて、本発明は全体のシステムレベルのパワーマネージメント計画、および構成を備える。このパワーマネージメント計画によって、機器を特定の運転モードにおいては、コンピュータから独立してセルラー電話機として動作させることができる。一実施形態において、コンピュータプロセッサは、いつでも、完全に電源をオフにされるかまたは深いスリープモード状態にされるかのいずれかであるので、さらに強固なＰＣの機能が必ずしも必要ではない。例えば、ＰＤＡとして動作するときは、埋込み型プロセッサ、メモリ、およびハードディスクは、ＰＣ回路と電話機モジュールを除外して、より低電源条件を有する連絡先管理やスケジューリングのような機能に使用される。ブラウジングと電子メールについては、埋込み型プロセッサ、電話機モジュール、メモリ、およびハードディスクが、ＰＣ回路を除外して利用される。単にセルラー電話機としてのみ動作する場合には、より低い電源条件を有するセルラー電話機回路が、ＰＣ回路とハードディスクを除外して利用される。さらに、本発明の１つの実施形態において、電池充電レベルがコンピュータを使用するには低くなりすぎた場合には、セルラー電話機が動作し続けられるように、まだ十分な通話時間を見越しながら、パワーマネージメント機構はコンピュータを停止する。
【００１６】
図３は、本発明の一実施形態を示すブロック図であって、機器３００は、通常の当業者には公知の機種であるので本願明細書においてはさらに詳細には説明されない配電システム２９９を介して、機器３００に含まれるすべてのモジュールに電源を印加する役割を果たしている単一の電池３０１を有する。一実施形態において、電池３０１は、バレンス社（Ｖａｌｅｎｃｅ  Ｃｏｒｐｏｒａｔｉｏｎ）から入手可能な、例えば、４．５〜６．０アンペア・時間の容量を持つリチウムポリマー電池である。
【００１７】
機器３００は、１つの実施形態において、より低い電源条件を有するプロセッサあって、標準のコンピュータプロセッサよりもさらに限定された機能を実行可能なシステムプロセッサ３０２を有する。一実施形態において、このより低い電源条件を実現するために、システムプロセッサ３０２は、そのオンチップメモリ内に含まれている単純化された埋め込み型オペレーティングシステムを有する埋込み型プロセッサである。システムプロセッサ３０２として使用するのに適しているそのような埋め込み型プロセッサの１つは、インテルから入手可能なストロングアーム（登録商標）１１１０埋め込み型プロセッサである。プロセッサ３０２は、電子機器３００全体のシステム制御装置としての役割を果たしている。システムプロセッサ３０２は、例えばインテル（登録商標）ストロングアーム（登録商標）１１１０の技術白書にさらに完全に説明されているように、多くの素子を含んでおり、システムプロセッサ３０２は、例えば当業者には周知のように、ヒューレットパッカード（登録商標）（ＨＰ）ホルナーダ（Ｊｏｒｎａｄａ）（登録商標）ポケットＰＣ（登録商標）（ＣＥ）機器においては、連絡先管理、スケジューリング、および電子メールのタスクを処理することができる。この典型的な実施形態において、システムプロセッサ３０２は、ＣＤＭＡ、ＴＤＭＡ、およびＧＳＭ等を含んだいかなる１つ以上の通信標準をも利用して、セルラー電話機通信手段を提供する役割を果たしている電話機モジュール３９０を制御している。電話機モジュール３９０は、署名識別モジュールＳＩＭ３０２−１と、デジタル信号プロセッサ（ＤＳＰ）３０３と、ＲＦモジュール３０６とを有する。ＤＳＰ３０３は、マイクロホン３０４を介して音声入力を入力し、スピーカ３０５を介して音声出力を出力する。電話機モジュール３９０の動作は、周知であるため本願明細書においてはこれ以上詳細には説明しない。一実施形態において、ＳＩＭ３０２−１は、デジタル信号プロセッサ（ＤＳＰ）装置であるＤＳＰ３０３、および無線周波数（ＲＦ）装置であるＲＦモジュール３０６と共に、ザーコム社（Ｘｉｒｃｏｍ  Ｃｏｍｐａｎｙ）から入手可能な固定登録暗号化装置である。これらの素子は、購入可能であって、ＧＳＭモジュール、例えば、ザーコム社（Ｘｉｒｃｏｍ  Ｃｏｒｐｏｒａｔｉｏｎ）から入手可能なクレジットカード（ＣｒｅｄｉｔＣａｒｄ）ＧＰＲＳに統合されている。１つの実施形態において、ＳＩＭ３０２−１は交換可能なので、標準のセルラー電話機から機器３００に移行するときに、ユーザの電話番号を変更する必要はない。
【００１８】
システムプロセッサ３０２は、どんな適切な表示技術、例えば、液晶表示装置（ＬＣＤ）、であってもよい表示装置３０７を制御する役割を果たしている。一実施形態において、表示装置３０７は、ソニー（登録商標）社によって製造され、ｉＰＡＱ（登録商標）３６５０ＰＤＡ機器に使用されているような、ＬＣＤ薄膜トランジスタ（ＴＦＴ）反射型フロントライトのタッチスクリーン表示装置である。
【００１９】
１つの実施形態において、表示装置３０７は、６５，８３６色が可能な１５０ｄｐｉの解像度を有する、ハーフＳＶＧＡ８００×３００ｄｐｉである。一実施形態において、８００×６００のアスペクト比を備えてはいるが、実画像の高さの一部分（例えば上半分または下半分だけ）だけが表示され、見えていない画面の上または下半分にスクロールするにはジョグダイアルまたはタッチスクリーン制御が使用される。表示装置３０７は、システムプロセッサ３０２からの、およびメモリおよびグラフィックコントロ−ラ３２１を介してプロセッサ３２０からの表示情報を入力する役割を果たしている表示制御装置３０８によって制御されている。システムプロセッサ３０２は、表示制御装置３０８にどちらの表示信号源、すなわち、システムプロセッサ３０２からか、またはメモリおよびグラフィックコントロ−ラ３２１からの信号、が使用されるべきかを指示している。システムプロセッサ３０２はまた、タッチスクリーン３０９およびジョグダイアルモジュール３１９を制御していて、タッチスクリーン３０９は、表示装置３０７を上張りしてユーザ入力装置としての役割を果たし、例えば、ソニー（登録商標）社からの切り離すことができない装置の一部になっている。ジョグダイアルモジュール３１９は、タッチスクリーンに印加されたユーザ入力を入力し、これらのアナログ信号をシステムプロセッサ３０２で使用するためにデジタル信号に変換する役割を果たしている。
【００２０】
機器３００はまた、システムプロセッサ３０２で処理できる以上の処理力を必要とするタスクを実行する役割を果たしているプロセッサ３２０を備える。例えば、一実施形態において、プロセッサ３２０は、ウィンドウズ（登録商標）ＭＥ、およびワード（Ｗｏｒｄ）（登録商標）エクセル（Ｅｘｃｅｌ）（登録商標）、パワーポイント（ＰｏｗｅｒＰｏｉｎｔ）（登録商標）等などのウィンドウズ（登録商標）ＭＥの下で実行されているプログラム等、一般的なコンピュータプログラムにアクセス可能である。一実施形態において、コンピュータプロセッサ３２０は５００メガヘルツで動作するトランスメタのクルーソー（Ｔｒａｎｓｍｅｔａ  Ｃｒｕｓｏｅ）（登録商標）プロセッサである。他の実施形態において、プロセッサ３２０は、３００〜５００メガヘルツで動作するインテル（登録商標）モバイルペンティアムＩＩＩ（登録商標）である。
【００２１】
プロセッサ３２０は、システムプロセッサ３０２によってより効率的に処理される簡単なタスク、特に電力消費に関係していて、スリープ状態からの活性化が必要でないタスクには使用されない。２種のプロセッサ３０２と３２０を、したがって２種のオペレーティングシステムを使用することによって、本発明は、メモリベースの「スリープモード」から確実に「活性化」できないという課題を克服している。プロセッサ３０２の埋め込み型オペレーティングシステムと、頻繁に使用される「簡単なアプリケーション」に関連付けられた埋め込み型ソフトウェアアプリケーションとを使用することによって、プロセッサ３２０は頻繁に活性化される必要がない。プロセッサ３２０は、簡単でないアプリケーションを実行するためにだけ「活性化」され、そのスリープモード状態は、揮発性メモリよりもむしろハードディスクから「活性化」される。
【００２２】
特定の実施形態において、コンピュータプロセッサ３２０よりもむしろシステムプロセッサ３０２によって実行されるようなタスクは、表示装置３０７を制御しながら、タッチスクリーン３０９とジョグダイアルモジュール３１９をインタフェースしている電話機モジュール３９０と、電話機モジュール３９０の動作中に、同じようにメモリ装置３１０と３１１をインタフェースしている表示制御装置３０８の制御とを有する。特定の実施形態において、システムプロセッサ３０２はまた、アクセサリモジュール３７１内に含まれているハードウェア要素をインタフェースするような、計算の能力および低い電力条件に関して自身のレベルに合った追加の機能を実行する。そのような演算は、例えば娯楽機器に使用されている、例えば赤外線モジュール３７１−３を使用した赤外線遠隔操作を含む。一実施形態において、遠隔制御モジュール３７１−３は、ソニー社から入手可能な汎用の遠隔制御装置である。そのような実施形態において、システムプロセッサ３０２はまた、一実施形態において３Ｃｏｍ社から入手可能な無線ＬＡＮモバイル８０２．１１機器であるアクセサリモジュール３７１−１に関連した機能、すなわち例えば、コードレスヘッドセットおよびコードレス電話機用のブルートゥース（登録商標）モジュール３７１−２の操作、および地上通信線に接続されていて、ブルートゥース（登録商標）を介して機器３００と通信するコードレス電話機の基地局（図示されない）に関する操作、を実行する。１つの実施形態において、ブルートゥース（登録商標）モジュール３７１−２は、フィリップス社から入手可能な無線機器である。ＧＰＳシステムの当業者には公知の詳細で正確な位置決め、位置、および移動情報等を提供するために、システムプロセッサ３０２がアクセサリモジュール３７１を介して実行するその他の機能は、全地球測位システム（ＧＰＳ）モジュール３７１−４の操作を含む。１つの実施形態において、ＧＰＳモジュール３７１−４は、プレミアエレクトロニクス（Ｐｒｅｍｉｅｒ  Ｅｌｅｃｔｒｏｎｉｃｓ）から入手可能なコンパクトフラッシュカード装置である。内蔵型ＧＰＳは、機器３００の緯度と経度を決定するのに利用され得る。この情報は、運転方向を提供するようなソフトウェアアプリケーションや、アプリケーションサービスプロバイダー（ＡＳＰ）ｆｏｏｄ．ｃｏｍのような、オンライン発注のために緯度と経度を介して消費者と売買業者とを関連付けるイーコマースアプリケーションに提供され得る。
【００２３】
１つの実施形態において、アクセサリモジュール３７１は、一実施形態においてノバログ（Ｎｏｖａｌｏｇ）社から入手可能な統合トランシーバー機器であるポイントツーポイント（ｐｏｉｎｔ  ｔｏ  ｐｏｉｎｔ）無線ＩＲ通信に使用されているＩＲＤＡ（赤外線通信）モジュール３７１−５を含む。一実施形態において、アクセサリモジュール３７１は、先在する２．４ＧＨｚのホーム無線通信ネットワークへのアクセスを提供する役割を果たしていて、１つの実施形態において、ウエイブコム（ＷａｖｅＣｏｍ）社から入手可能な２．４ＧＨｚの無線機器であるホームＲＦモジュール３７１−６を含む。一実施形態において、ブルートゥースとＰＣの同期は、システム３００と、無線インタフェースとしてブルートゥース（登録商標）技術を利用していた他のＰＣ計算装置の間で働く。
【００２４】
特定の実施形態において、システムプロセッサ３０２はまた、さらに高度なタスク、すなわちプロセッサ３２０の計算の能力より低いがシステムプロセッサの計算の能力のレベルによく適合したタスクでさえも実行する。そのようなタスクは、例えば、ウィンドウズ（登録商標）ポケットＰＣ（登録商標）（ＣＥ）と、ウィンドウズ（登録商標）ポケットＰＣ（登録商標）（ＣＥ）の下で実行されることができる、例えば電話モード時に表示装置３０７を起動するプログラムと、電子メール、連絡先管理、およびスケジューリングを含んでいるポケットアウトルック（Ｐｏｃｋｅｔ  Ｏｕｔｌｏｏｋ）（登録商標）とを含む。
【００２５】
図３に示す実施形態において、メモリおよび記憶モジュール３８５は、システムプロセッサ３０２と、メモリおよびグラフィックコントローラ３２１を介してメモリおよび記憶モジュール３８５にアクセスするプロセッサ３２０とによって共有されている共有リソースモジュールとしての役割を果たしている。この典型的な実施形態において、メモリおよび記憶モジュール３８５は、一実施形態においてマイクロソフト（登録商標）ポケットＰＣ（登録商標）（ＣＥ）である埋め込み型オペレーティングシステムを格納する役割を果たしているＲＯＭ３２７と、機器３０２と３２０の主記憶装置としての役割を果たす。それらそれぞれのオペレーティングシステム上で実行されているコンピュータプログラムによって使用されているＳＤＲＡＭ３１０と、この実施形態においてアプリケーションキャッシュメモリとして使用されているフラッシュメモリ３１１と、一実施形態においてＩＢＭから入手可能の４ギガバイトのマイクロドライブであるハードディスクドライブ３２５とを有する。他の実施形態において、ハードディスクドライブ３２５は、サンディスク社から入手可能なハードディスクをエミュレートする半導体装置である。一実施形態において、ＳＤＲＡＭ３１０は６４〜２５６メガバイトのシンクロナスダイナミックＲＡＭである。フラッシュメモリ３１１は、サムソン社から入手可能なような、通常２５６メガバイトのフラッシュメモリから構成されている。一実施形態において、使用可能なメモリは共有されているが、特定のメモリアドレスは共有されていない。メモリアドレスブロックは共有されず、またはプロセッサ３０２およびコンピュータプロセッサ３２０の両方に対して同時に利用可能にはならない。
【００２６】
システムプロセッサ３０２とプロセッサの３２０の間で、共有リソースとしてのハードディスクドライブ３２５を利用することは、両プロセッサに対して非常に大きい利用可能なデータ格納容量を提供するとともに、限定された容量の半導体メモリを有する埋込み型プロセッサを利用している代表的な従来技術のＰＤＡや類似の機器を使用する際に、通常遭遇するデータ格納容量が限定されているという課題を解消している。１つの実施形態において、ハードディスク３２５は、マイクロソフト（登録商標）ポケットＰＣ（登録商標）（ＣＥ）のデータ格納空間用に意図的に分割されている。他の実施形態において、ハードディスク３２５は、特定の動作環境のファイルを保護することによって、２つの動作環境間のファイルシステムを共有しているが、しかし適切な場合には、それでも共有ファイルを使用することを許可する。
【００２７】
プロセッサ３２０と共に動作するのは、インテル（登録商標）８２８１５グラフィックメモリーコントローラハブ（ＧＭＣＨ）装置のようなメモリおよびグラフィックコントローラ３２１と、ドッキングストリップとしてモジュール６０１に、または既存のＰＣに対するスレーブ装置としてモジュール７００に接続するような使用に適しているＵＳＢ出力ポートだけでなく、インテリジェントドライブエレクトロニクス（ＩＤＥ）および周辺装置相互接続（ＰＣＩ）コントローラタイプの機能を提供する、例えばインテル（登録商標）８２８０１統合コントローラハブ（ＩＣＨ）装置である制御装置および入出力モジュール３２２である。他の実施形態において、制御装置および入出力モジュール３２２は、ドッキングステーション機能としてモジュール８００を構成するように形成している組合せに統合されたフロッピードライブ、増設ハードディスク、ＣＤ−ＲＯＭ、ＤＶＤ、外部マウス、キーボード、および外部モニタのような追加の周辺機器の取り付けを提供する、インテル（登録商標）ＷＡ３６２７装置と連携して動作するインテル８２８０１ＩＣＨ装置である。制御装置および入出力モジュール３２２は、プロセッサ３２０をハードディスクドライブ３２５のような種々の入出力装置にインタフェースする役割を果たしている。他の入出力モジュールは、モデム３２４と、外部入出力コントローラ３２３によって制御される他の外部入出力装置とを含む。そのような他の外部入出力装置は、例えば、キーボード、ＣＤ−ＲＯＭドライブ、フロッピーディスクドライブ、マウス、およびネットワーク接続等を含む。
【００２８】
一実施形態において、システムプロセッサ３０２は、機器３００全体の電源管理者としての役割を果たしている。したがって、システムプロセッサ３０２は、プロセッサ３２０がいつオンになるか、またはいつスリープモードになるかを判定している。一実施形態において、システムプロセッサ３０２は、例えばプロセッサ３２０によって実行されているタスク、電池３０１の充電状態、およびユーザの選択に基づいてプロセッサ３２０の動作速度を決定する。システムプロセッサ３０２は、そのパワーマネージメントタスクの一部として、プロセッサ３２０が動作しているときに、プロセッサ３２０に関連しているどの素子がオンにされるかを判定している。このように、プロセッサ３２０は、１つ以上の外部入出力コントローラ３２３、モデム３２４、およびハードドライブ３２５が無効になっていても、それらの機器がタスクに対して差し迫っては必要でない場合には動作を継続することができ、したがって電力を節約できるとともに電池３０１の有効寿命を延ばすことができる。
【００２９】
パワーマネージメント動作の一部として、システムプロセッサ３０２はまた、いつ表示装置３０７が照明されるか、いつ電話機モジュール３９０が電力を供給されるか等を判定する。
【００３０】
多くのパワーマネージメントに関する決定は、特定の機能を実行したいというユーザの望みによっても推進される。例えば、１つの実施形態において、マイクロソフト（登録商標）アウトルック（登録商標）にアクセスするには、次のイベントが電源条件を最小限にするために発生して、システムプロセッサ３０２はプロセッサ３２０と、メモリおよびグラフィックコントローラ３２１だけに電力を供給する。こうして、フラッシュメモリ３１１およびＳＤＲＡＭ３１０は、メモリおよびグラフィックコントローラ３２１を介してアクセスされる。メモリおよびグラフィックコントローラ３２１は、アウトルック（登録商標）のグラフィックディスプレイを管理し、実行可能なアウトルック（登録商標）およびデータファイルが、フラッシュメモリ３１１および／またはＳＤＲＡＭメモリ３１０から読込まれる。ユーザが、新しい連絡先の追加のような、フラッシュメモリ３１１および／またはＳＤＲＡＭメモリ３１０のアウトルック（登録商標）データファイルを変更すると、メモリおよびグラフィックコントローラ３２１と連携しているシステムプロセッサ３０２は、フラッシュメモリ３１１および／またはＳＤＲＡＭメモリ３１０に最新の情報を書き込む。ユーザがアウトルック（登録商標）を終了するときには、システムプロセッサ３０２は、ＳＤＲＡＭメモリ３１０に存在するいかなるデータ項目も含むフラッシュメモリ３１１にすべての必要なデータを書き込む。その後、次のイベントの連鎖が発生する。
【００３１】
１．プロセッサ３０２はシステムプロセッサ３２０を活性化しようと試みる。
２．システムプロセッサ３０２とＰＣの要素３２０，３２１，３２２，３２３，３２５（ここでは電力がそれらに供給されている）によって判定された望ましくない条件のために、プロセッサ３２０を活性化できない場合には；
２．１．プロセッサ３２０の再起動が開始される。
【００３２】
３．これに反して、ＰＣモジュールを活性化できる場合には、フラッシュメモリ３１１に存在する最新のアウトルック（登録商標）データは、ハードディスク３２５に存在するアウトルック（登録商標）のデータファイルに書き込まれる。
【００３３】
４．システムプロセッサ３０２は、プロセッサ３２０をスリープモードに戻す。
パワーマネージメントの他の機能として、システムプロセッサ３０２は、表示装置３０７のデューティサイクルを管理している。例えば、タッチスクリーンへのユーザ入力によって表示装置３０７に電力が供給される。その後、ユーザはメインメニューにあるセル式電話機のアイコンを軽く叩くと、キーパッドアプリケーションによってフラッシュメモリ３１１からのローディングが起動される。ユーザは、発呼するために電話番号を軽く叩いてから「発信」ボタンを軽く叩く。アプリケーションは、「ダイヤル番号．．．」に明示されている電話番号にダイヤルして、「呼接続」に表示している呼を接続する。アプリケーションは、システムプロセッサ３０２に発呼はすでに完了して、処理は終了というメッセージを送信する。システムプロセッサ３０２は、しばらく（例えば３秒）待機し、次に、電力を保存するために表示装置３０７の電力を切断する。その後、システムプロセッサ３０２は、その「待機」モードになり、アイドリングしながらユーザ入力または「活性化」するための入力呼び出しを待機する。
【００３４】
図４Ａは表示制御装置３０８をさらに詳細に示すブロック図である。図４Ａはまた、システムプロセッサ３０２、メモリおよびグラフィックコントローラ３２１、および表示装置３０７を便宜のために示している。一実施形態において、表示制御装置３０８は、ウィンドウズ（登録商標）表示ＲＡＭ３０８−１とユーザインタフェース表示ＲＡＭ３０８−２の２つの部分を含んでいるメモリを含む。メモリ３０８−１と３０８−２は、一実施形態において、システムプロセッサ３０２と、メモリおよびグラフィックコントローラ３２１との両方の通信を可能にするデュアルポートＲＡＭである。他の実施形態において、メモリ３０８はデュアルポートではなくて、むしろＲＡＭ３０８から独立した部分に割り当てられているシステムプロセッサ３０２およびプロセッサ３２０と同期をとっている高速シンクロナスＲＡＭの２つの部分に分割されている。
【００３５】
ウィンドウズ（登録商標）表示メモリ３０８−１は、システムプロセッサ３０２とプロセッサ３２０の両方からＬＣＤ３０７に表示される画像の定義の一部を形成するフレームデータを適切に入力している。ユーザインタフェース表示ＲＡＭ３０８−２は、システムプロセッサ３０２とプロセッサ３２０とからピクセルデータを適切に入力し、表示装置３０７に所望の表示を出力するのに必要な情報を完成するために、ウィンドウズ（登録商標）表示ＲＡＭ３０８−１に格納されたフレームデータを使用する。表示制御装置３０８−３は、ウィンドウズ（登録商標）表示データＲＡＭ３０８−１およびユーザインタフェース表示ＲＡＭ３０８−２のデータを検索して、表示装置３０７に所望の表示を出力する役割を果たしている。表示制御装置３０８−３は、制御バス３７５を介してシステムプロセッサ３０２と通信し、制御バス３７６を介してメモリおよびグラフィックコントローラ３２１とも通信する。
【００３６】
図４Ｂは、システムプロセッサ３０２およびメモリ制御装置３２１が、システムプロセッサ３０２およびメモリ制御装置３２１内にそれぞれ含まれている別の表示制御装置を利用して、表示装置３０７と通信する他の実施形態である。この実施形態において、メモリおよびグラフィックコントローラ３２１の管理下で、システムプロセッサ３０２に含まれている表示制御装置から入力されたビデオ表示信号、または代わりに、システムプロセッサ３０２の管理下で、制御装置および入出力モジュール３２２に含まれている表示制御装置からの信号のいずれかを選択するために動作する選択回路を含んでいる表示制御装置４０１が提供される。例えば、システムプロセッサ３０２が、インテル（商標登録）から入手可能な埋め込み型ストロングアーム（登録商標）１１１０プロセッサ装置であるときには、システムプロセッサは、ＵＳＢ入出力（Ｉ／Ｏ）を持つそれ自身の表示制御装置を含んでいる。同様に、１つの実施形態においてインテル（商標登録）から入手可能な８２８０１ＧＭＣＨ装置であるグラフィックおよびメモリ表示制御装置３２１は、１つの実施形態において自分自身のＵＳＢ出力をも有しているインテル（商標登録）から入手可能な８２８０１ＩＣＨ装置である入出力モジュール３２２と通信する。この実施形態において、ＵＳＢ接続は、システムプロセッサ３０２と表示装置３０７の間、および制御装置および入出力モジュール３２２と表示装置３０７の間の通信を提供する。この実施形態において、表示データの処理は、装置３０２と３２１に存在しているコントローラ内で発生する。この実施形態において、表示制御装置４０１は、上に説明した２つのコントローラ間の処理装置ではなくて切替え装置としての役割を果たしている。
【００３７】
本発明の特定の実施形態の特徴として、機器３００は、各々それ自身のオペレーティングシステムを利用している２つのプロセッサを使用して動作する。これによって、機器３００は埋め込み型と非埋め込み型動作環境の両方から「最良の血統」を利用することが可能になる。例えば、システムプロセッサ３０２の埋め込み型オペレーティングシステムは自己完結型であって、埋め込み型動作環境内で動作するソフトウェアアプリケーションは、「閉じている」と考えられる。特に、「閉じた」環境において、使用されるソフトウェアは、埋め込み型システムの開発者によって指定され、しかも埋め込み型オペレーティングシステムのユーザによってアップグレード、または修正されないかもしれない。さらに、新しいソフトウェアは、ユーザによって埋め込み型システムに導入されないかもしれない；ここでマイクロソフト（登録商標）ポケットＰＣオペレーティングシステム、およびポケットＰＣ用マイクロソフト（登録商標）アウトルックは、「閉じた」埋め込み型オペレーティングシステム、および「閉じた」環境に存在する「閉じた」埋め込み型ソフトウェアアプリケーションの例である。
【００３８】
新しいソフトウェアまたは修正版への、または埋め込み型システムにバグまたはウイルスを持ち込むであろうシステムに対するパッチを導入しようというユーザの関心がない埋め込み型システムを、デバッグ、テストできることは、「開かれた」ソフトウェア環境と比べて、桁違いに容易に安定した動作環境を作り出すことができる。したがって、当然のことながら、上に説明した理由で埋め込み型動作環境は、先天的により信頼できて、しかも安定している。
【００３９】
機器３００は、埋め込み型オペレーティングシステムと；デューティサイクルの使用にもっと重要な、セルラー電話機の発呼、約束の予定、電子メールの発信や受信、およびウェブブランジングのような機能に対する機器３００の信頼性に留意しているので、「簡単な」しかも「頻繁に使用される」アプリケーションと考えられている埋め込み型ソフトウェアアプリケーションと；を使用することによって、「閉じた」埋め込み型環境のすべてを利用するように設計されていた。非常に大きい信頼性の利点に加えて、埋め込み型環境は、もし同一のタスクを実行するのに使用されるとすれば、プロセッサ３２０およびそれに関連している素子と比較して、電力消費量が非常に少ない。
【００４０】
反対に、「開いた」ソフトウェア動作環境は、ＰＣモジュール（プロセッサ３２０、およびそれに関連している装置３２１，３２２，３２５）を有しているような場合であって、ユーザは、ソフトウェアアプリケーションやデータファイルを意のままに追加、修正、削除することが自由である。機器３００はまた、業界標準のオペレーティングシステムを持った「開いた」動作環境をユーザに提供しているので、業界標準のソフトウェアが使用できるようになった。機器３００のユーザは、全体の装置のコア機能を低下させるのではないかという心配をしないで、ＰＣモジュールの「開いた」動作環境に存在するソフトウェアやデータファイルを自由にロードし操作することができる。「開いた」環境は、ＰＣを使用するにあたり非常に大きな柔軟性を提供するが、残念ながら、「開いた」環境に導入されるまたは修正される新しいソフトウェア間の互換性に関する保証はないので、「開いた」環境は、より大きな電力消費量に加えて、ＰＣモジュールが独占的に機器３００にシステムプロセッサ／コントローラとして使用されない理由となっているシステム故障の可能性を高める。
【００４１】
一実施形態において、音声コマンドおよび制御が、システムプロセッサ３０２の埋め込み型動作環境とプロセッサ３２０の非埋め込み型動作環境の一方または両方に提供される。両方のオペレーティングシステム環境で使用された場合には、継ぎ目のない音声コマンドおよび制御のユーザ体験が、機器３００の動作モードにかかわらず実現される。１つの実施形態において、音声認識もまた、例えばプロセッサ３２０によって実行される音声認識ソフトウェアとして提供される。
【００４２】
パワーマネージメントは、機器３００が電力を必ずしも供給する必要がない多くの素子を含んでいるという点で非常に重要である。特定の素子に電力を選択的に供給しないことによって、電池３０１の有効寿命はかなり延びる。例として、表１に種々の機能と、種々のモジュールに対する関連したパワーマネージメント計画を示す。
【００４３】
例えば、一実施形態において、移動中、および電池３０１を介して供給可能な電力を使用している間、マイクロソフト（登録商標）ポケットＰＣ（登録商標）（ＣＥ）オペレーションシステムが、主要な演算タスクに対してシステムプロセッサ３０２、メモリ３１０、ＲＯＭ３２７、およびハードディスク３２５と連携して使用される。このモードで使用される演算タスクは、一般に電子メール、連絡先管理、カレンダー機能、および無線ブラウジングを含む。この動作環境において、電力は、他のモジュールをスリープモードに置くか、またはそれらの電源を完全にオフにすることによって管理されている。
【００４４】
埋め込み型マイクロソフト（登録商標）ポケットＰＣ（登録商標）（ＣＥ）とウィンドウズ（登録商標）ＭＥ  ＰＣモジュールの間のデータファイルの同期は、ＰＣモジュールの電源を「オン」にして、カスタマイズされた同期ソフトウェアを使用してウィンドウズ（登録商標）ＭＥ  ＰＣモジュールデータファイルを更新することによって実現される。マイクロソフト（登録商標）ポケットＰＣ（登録商標）（ＣＥ）とマイクロソフト（登録商標）ウィンドウズ（登録商標）ＭＥの２つの動作環境の間で共有されている特定のユーザ機能がある。これらの機能は、例えば、連絡先管理と、電子メールと、カレンダーデータと、マイクロソフト（登録商標）インターネットエキスプローラ（登録商標）（ＩＥ））に格納されている好みのサイトデータとを含むアウトルックデータファイルを含んでいるが、それに限定されるものではない。上に説明した機能を実行するのに使用されるアプリケーションは、それらが各動作環境内に存在するという点において重複している。ソフトウェアアーキテクチャの観点からすると、これらのアプリケーションは機能性においては同一であるが、その本質においては大きく異なっていて、各環境でそれらが最大限に使用されるようにプログラムされていた。特に、例えばマイクロソフト（登録商標）ポケットＰＣ（登録商標）（ＣＥ）動作環境において、アウトルックの埋め込み型版は、アプリケーションをそれほど高性能でないプロセッサおよび限定されたメモリを有する環境で動作させるために、メモリが最も小さな設置面積となるように最適化されていた。完全なウィンドウズオブジェクトライブラリーがアウトルックアプリケーションを構築するのに使用されているマイクロソフト（登録商標）ウィンドウズ（登録商標）ＭＥアウトルック版の場合はそうではない。もし重複したまたは使用されていないオブジェクト機能がメモリにロードされて処理される場合には、ＰＣプロセッサが非常に高速なので最適化に対するコストメリットはないという理由によって、非能率性は無視される。本発明によれば、最良のユーザ体験を保証して、しかも機能を最高水準に保持するために、そのようなアプリケーションデータは、２つのオペレーティングシステムとアプリケーションの間で継ぎ目なく静かに更新、同期されている。
【００４５】
図５は、ジョグダイアル３１９と、例えば電話線またはネットワークインタフェースへの接続用のＲＪ１１ジャック５０２と、ＵＳＢ接続３２３とを含んでいる本発明の１つの実施形態を示す図である。さらに、マイクロホン３０４およびスピーカ３０５と、遠隔制御およびデータ同期用の赤外線５０４と、表示装置３０７と、アンテナ５１０と、電源オン／オフ５０９とが示されている。
【００４６】
図６は、例えば、ユーザが家庭またはビジネスオフィスに着いて、より従来型の入出力装置を使用したいと望む場合に、外部コンピュータアクセサリと連携して使用される機器３００を示した図である。機器３００は、この実施形態において、外部入出力インタフェース３２３としてユニバーサルシリアルバス（ＵＳＢ）インタフェースを含む。ドッキングストリップ６０１は、外部入出力モジュールと機器３００の間をインタフェースする役割を果たしている。図６に示すように、ドッキングストリップ６０１は、ＵＳＢケーブル６１０を介して機器３００と通信するマルチポートＵＳＢハブ６０２を含む。マルチポートＵＳＢハブ６０２は、例えばＣＤ−ＲＯＭドライブ６３１に接続されているＵＳＢインタフェース６０３、例えばキーボード６３２に接続されているＰＳ２インタフェース６０４、この例においてはマウス６３３に接続されているＰＳ／２インタフェース６０５、およびこの実施形態において、外部ＣＲＴまたはＬＣＤビデオ表示装置６３４に接続されているＶＧＡインタフェース６０６、としてこの例に示されている種々の外部入出力インタフェースを順にインタフェースしている。このやり方において、簡単で、低電源の機器３００は、いくつかの例を図６の実施形態に示している種々の外部の、より従来型の入出力装置に容易にしかも廉価に接続され得る。１つの実施形態において、ドッキングストリップ６０１は、機器３００からＵＳＢケーブル６１０を介して、ドッキングストリップが持っているどんなわずかな電源条件も入力している。この実施形態において、ＣＤ−ＲＯＭドライブ６３１および表示装置６３４のような特定の外部入出力装置は、交流電源からそれらの電力を入力するので、その結果、機器３００によって必ず対処させられる電源条件に追加しないですむ。
【００４７】
図７は、例えば、他のコンピュータシステムが機器３００のメモリおよびデータ格納素子にアクセスすることができるように、他のコンピュータシステム（図示されない）と連携して使用される機器３００を示す図である。これは、例えば、旅行者が家庭または勤務先のオフィス、ホテルの部屋等のような固定された場所へ戻った場合や、機器３００内のデータにアクセスする標準のコンピュータシステム（それはネットワーク接続を含んでいるかもしれない）を利用することを望む場合に有用である。好都合なことに、この動作中、機器３００の電池３０１は充電され得る。
【００４８】
図７を参照して、スレーブ装置７００は、例えばＵＳＢケーブル７１３を介して従来のコンピュータ（図示されない）と機器３００の間をインタフェースする役割を果たしている。１つの実施形態において、機器３００は、スレーブ装置７００のコネクタ７０２を接続する役割を果たしているコネクタ７０１を含む。そのようなコネクタは従来技術において公知である。スレーブ装置７００もまた、電源７１０と、機器３００内の電池３０１を充電するために、外部電源から電力を入力して電力を、コネクタ７０２を介してコネクタ７０１に出力する充電器７１１（一実施形態では電源と充電器は単一のモジュールとして便利に組み立てられている）とを含む。この電池充電は、外部コンピュータシステムが機器３００内のメモリおよび記憶装置（ハードディスクドライブ３２５のような）にアクセスしている間に、好都合に実行される。
【００４９】
図８は、機器３００と連携して使用されるドッキングステーション８００の１つの実施形態を示すブロック図である。ドッキングステーション８００との相互接続に特別の関連があり、機器３００に含まれている種々の素子を示している。外部入出力インタフェース３２３としての役割を果たしているネットワークポート（例えば、イーサネットポート）もまた、機器３００内に示されている。ドッキングステーション８００は、機器のコネクタ７０１を介して機器３００へ接続するコネクタ８０２を含む。一実施形態において、ドッキングステーション８００は電源８１０と充電器８１１とを有する。電源８１０は、一実施形態では機器３００に電池充電電流を出力するとともに、ドッキングステーション８００に供給するために外部電源から電力を入力する単一のモジュールとして製作される。ドッキングステーション８００は、例えば、外部ＣＲＴまたはＬＣＤ表示装置８３４と、機器３００、制御装置および入出力モジュール３２２を接続するＵＳＢハブ８０３とを備える。所望の場合には、ＵＳＢハブ８０２は、ドッキングステーション入出力モジュール８２２と他のＵＳＢ装置（図示されない）を接続する。あるいは、ドッキングステーション８００の入出力モジュール８２２は、代わりのインタフェースとして、ＬＰＣバス８６２を介して機器３００に接続される。他の種類のインタフェースも使用され得る。入出力モジュール８２２は、機器３００と、例として示されている赤外線入出力モジュール８４３、プリンタ８４２、キーボード８３２、マウス８３３、ＣＤ−ＲＯＭドライブ８３１、およびフロッピードライブ８４１などの種々の入出力モジュールとを通信する役割を果たしている。他の所望の入出力モジュールは、当然同様の方式で使用され得る。示した実施形態において、機器３００の外部入出力モジュール３２３は、ネットワークポート、例えばイーサネットポートである。このネットワークポートは、ネットワーク接続８５１にコネクタ７０１と８０２を介して接続されていて、機器３００がネットワークに接続されることを可能にしている。図８に示す実施形態において、機器３００は、コネクタ７０１と８０２を通った接続によって電話線８５２に接続されたモデム３２４を有する。
【００５０】
図８に示す実施形態において、ドッキングステーション８００は、機器３００の内臓型素子よりもむしろ、ドッキングステーション８００の素子で実行される音声入出力を可能にする１つ以上のマイクロホンと、１つ以上のスピーカだけでなく、それ自身のＣＯＤＥＣ８５３も含む。
【００５１】
一実施形態において、機器３００がドッキングステーション８００に合体させられるときには、表示制御装置３０８は自動的に表示装置３０７の電源をオフにして、ドッキングステーションモニタ８３４を使用する。表示制御装置３０８は、８００×６００のフルＳＶＧＡを表示するドッキングステーションモニタ８３４に自動的に表示信号を出力する。所望の場合には、ドッキングステーションモニタ８３４は、表示制御装置３０８を使用して、ドッキングステーションモニタをより高解像度に設定するカスタム構成が可能である。
【００５２】
１つの実施形態において、機器３００がドッキングステーション８００に合体されたときには、電話機モジュール３９０は、地上通信線をベースにした電話接続８５２と共に使用され得るので、例えば、音声通話がモデム接続と並行して行われること、および２つの並行した（および／または結合された）電話接続が可能になる。
【００５３】
図９は、代表的なローカルエリアネットワーク（ＬＡＮ）を示すブロック図であって、ネットワークに、直接、またはパーソナル電子機器内に含まれているネットワークドライバを介してのいずれかで接続されている本発明の１または２以上のパーソナル電子機器と、ドッキングストリップ６０１に含まれているネットワーク接続、または図８のドッキングステーション８００によって提供されたネットワーク接続とを有する。
【００５４】
図１０は、無線８０２．１１ＬＡＮ、標準のイーサネットＬＡＮ、およびすべてが１つのホームネットワーク用に１つのソリューションへ統合された家庭内電話ネットワーキング連合（ＰＮＡ）のような、いくつかの異なったネットワーク接続性の例があるホームネットワークの図である。
【００５５】
本願明細書において言及したすべての出版物および特許出願は、あたかも各個々の出版物または特許出願が参照によって組込まれるべきことを特に個々に指示されているように、同一範囲を参照することによってここに組込まれている。
【００５６】
本発明は今や十分に説明されたが、添付の特許請求項の精神または範囲から逸脱することなく、多くの変更および変形をそれに対して行うことができることは通常の当業者には明らかであろう。
【００５７】
【表１】
2004537877.tif 000003
【００５８】
【表２】
2004537877.tif 000004
【００５９】
【表３】
2004537877.tif 000005
【００６０】
【表４】
2004537877.tif 000006
【図面の簡単な説明】
【００６１】
【図１】代表的な従来技術のセルラー電話機を示すブロック図。
【図２Ａ】物理的に取り付けられたセルラー電話機モジュールを有する従来技術のＰＤＡのブロック図。
【図２Ｂ】セルラー電話機とＰＤＡを統合した従来技術を示すブロック図。
【図３−１】本発明の新規なパーソナル電子機器の一実施形態を示すブロック図。
【図３−２】本発明の新規なパーソナル電子機器の一実施形態を示すブロック図。
【図４Ａ】図３の表示制御装置３０８の一実施形態をさらに詳細に示すブロック図。
【図４Ｂ】図３の表示装置３０７の動作の他の実施形態を示すブロック図。
【図５】本発明の一実施形態の物理的特徴を示すブロック図。
【図６】本発明の新規なパーソナル電子機器が外部コンピュータアクセサリと連携して使用される一実施形態を示すブロック図。
【図７】本発明のパーソナル電子機器がスレーブ装置を使用して従来のコンピュータと連携して使用される一実施形態を示すブロック図。
【図８−１】ドッキングステーションと連携するパーソナル電子機器を備える本発明の一実施態様を示すブロック図。
【図８−２】ドッキングステーションと連携するパーソナル電子機器を備える本発明の一実施態様を示すブロック図。
【図９】本発明の１つ以上のパーソナル電子機器を有したネットワークの一実施形態を示すブロック図。
【図１０】無線通信、イーサネット、および電話ネットワーキング連合（ＰＮＡ）のような３つのネットワークサブネットを示す本発明の１つ以上のパーソナル電子機器を有するホームパーソナルネットワークの一実施形態を示すブロック図。
【図１】
2004537877.tif 000007
【図２Ａ】
2004537877.tif 000008
【図２Ｂ】
2004537877.tif 000009
【図３−１】
2004537877.tif 000010
【図３−２】
2004537877.tif 000011
【図４Ａ】
2004537877.tif 000012
【図４Ｂ】
2004537877.tif 000013
【図５】
2004537877.tif 000014
【図６】
2004537877.tif 000015
【図７】
2004537877.tif 000016
【図８−１】
2004537877.tif 000017
【図８−２】
2004537877.tif 000018
【図９】
2004537877.tif 000019
【図１０】
2004537877.tif 000020
【国際公開パンフレット】
2004537877.tif 000021
2004537877.tif 000022
2004537877.tif 000023
2004537877.tif 000024
2004537877.tif 000025
2004537877.tif 000026
2004537877.tif 000027
2004537877.tif 000028
2004537877.tif 000029
2004537877.tif 000030
2004537877.tif 000031
2004537877.tif 000032
2004537877.tif 000033
2004537877.tif 000034
2004537877.tif 000035
2004537877.tif 000036
2004537877.tif 000037
2004537877.tif 000038
2004537877.tif 000039
2004537877.tif 000040
2004537877.tif 000041
2004537877.tif 000042
2004537877.tif 000043
2004537877.tif 000044
2004537877.tif 000045
2004537877.tif 000046
2004537877.tif 000047
2004537877.tif 000048
2004537877.tif 000049
2004537877.tif 000050
2004537877.tif 000051
2004537877.tif 000052
2004537877.tif 000053
2004537877.tif 000054
2004537877.tif 000055
2004537877.tif 000056
2004537877.tif 000057
2004537877.tif 000058
2004537877.tif 000059
2004537877.tif 000060
2004537877.tif 000061
2004537877.tif 000062
2004537877.tif 000063
2004537877.tif 000064
2004537877.tif 000065
2004537877.tif 000066
2004537877.tif 000067
2004537877.tif 000068
2004537877.tif 000069
2004537877.tif 000070
2004537877.tif 000071
2004537877.tif 000072
2004537877.tif 000073
2004537877.tif 000074
2004537877.tif 000075
2004537877.tif 000076
2004537877.tif 000077
2004537877.tif 000078
2004537877.tif 000079
2004537877.tif 000080
2004537877.tif 000081
2004537877.tif 000082
2004537877.tif 000083
2004537877.tif 000084
2004537877.tif 000085
2004537877.tif 000086
2004537877.tif 000087
2004537877.tif 000088
2004537877.tif 000089
2004537877.tif 000090
2004537877.tif 000091
【国際公開パンフレット（コレクトバージョン）】
2004537877.tif 000092
【国際調査報告】
2004537877.tif 000093
2004537877.tif 000094
2004537877.tif 000095
2004537877.tif 000096
2004537877.tif 000097
2004537877.tif 000098
2004537877.tif 000099